(57)【要約】【課題】  この発明は、印刷のみで画像が立体的に視認できる印刷シートを得ることを課題とするものである。【解決手段】  透明フィルム１の上面又は下面に透光性の高い部分２ａと透光性の低い部分２ｂとを有する画像２を表し、前記透明フィルムの下面の前記画像の透光性の高い部分に対応する部分に白色層３を形成して三次元効果を有する画像シートを構成する。  この画像シートを床や壁に貼ると、透光性の高い部分の画像は浮き出して見え、透光性の低い部分の画像は床や壁に馴染んで見えるので、三次元的に認識される。【選択図】  図１
2006103196.tif 000002
【特許請求の範囲】
【請求項１】
透明フィルムの上面に画像が表され、前記画像は透光性の高い部分と透光性の低い部分とを有し、
前記透明フィルムの下面の前記画像の透光性の高い部分に対応する部分に白色層が形成された、三次元効果を有する画像シート
【請求項２】
透明フィルムの上面に、保護透明フィルムが層着された、請求項１記載の三次元効果を有する画像シート
【請求項３】
透明フィルムの下面に画像が表され、前記画像は透光性の高い部分と透光性の低い部分とを有し、
前記画像の透光性の高い部分の下層には白色層が印刷された、三次元効果を有する画像シート
【発明の詳細な説明】
【技術分野】
【０００１】
この発明は、印刷手法のみで製造可能な、三次元効果を有する画像シートに関するものである。
【背景技術】
【０００２】
従来、三次元効果を有する画像シートとしては、レンチキュラーレンズの片面に画像を印刷したものが知られている。
しかしながら、このような構成においては、レンチキュラーレンズを用意しなければならないこと、そのために比較的厚いものとならざるを得ないこと、印刷する画像はレンチキュラーレンズの効果によって立体的に視認できるように分解処理の上で印刷しなければならないこと、レンチキュラーレンズの作用によって画像が立体的に視認できる範囲は限られていること、などの問題点があった。
また、レンズを使用せずに立体模様を得る手法として以下の特許文献の発明が存在する
【特許文献１】特開平１−３１４１９８号
【０００３】
上記発明は、表面が剥離性を有する電離放射線透過性の剥離基材の剥離性面に着色層を施した転写シートを準備する工程、上記転写シートと被転写基材とを電離放射線硬化性樹脂層を介して重ね合わせる工程、転写シートの電離放射線透過性シート側より電離放射線を照射して電離放射線硬化性樹脂層を硬化させる工程、剥離基材を剥がして着色層の密集した電離放射線硬化性樹脂層を形成する工程よりなるものである。
この手法によれば立体模様を得ることはできるが、特殊な材料と工程を要するものであった。
【発明の開示】
【発明が解決しようとする課題】
【０００４】
この発明は、レンチキュラーレンズなどを用いることなく、透明シートへの印刷のみで画像が立体的に視認できる印刷シートを得ることにより、上記従来の問題点を解決しようとするものである。
【課題を解決するための手段】
【０００５】
請求項１の発明は、透明フィルムの上面に透光性の高い部分と透光性の低い部分とを有する画像を表し、前記透明フィルムの下面の前記画像の透光性の高い部分に対応する部分に白色層を形成して三次元効果を有する画像シートを構成する。
請求項２の発明は、透明フィルムの上面に保護透明フィルムを層着したものである。
請求項３の発明は、透明フィルムの下面に透光性の高い部分と透光性の低い部分とを有する画像を表し、前記画像の透光性の高い部分の下層には白色層を形成して三次元効果を有する画像シートを構成する。
【０００６】
前記透光性の高い部分は、この画像シートを観察したときに手前側に浮き上がって見える部分であり、透光性の低い部分は逆に奥側に沈み込んで見える部分である。したがって、「透光性の高い」「透光性の低い」は相対的なものである。また「透光性の高い部分」は画像のメインとなる部分であり、透光性の高い部分に透光性の低い（場合によっては透光性の低い部分よりも透光性が低い）が含まれていることを排除するものではない。この場合、透光性の高い部分に含まれる「透光性の低い」に対応した位置にも白色層が形成される。
なお、「透光性が低い」の中には「不透明」（透光性がない）も含まれる。
前記「白色層」は前記透光性の高い部分を透過した光を反射するためのものである。したがって、透光性の高い部分を透過した光を反射し、三次元効果が得られるものであればよい。
【発明の効果】
【０００７】
この発明のシートは、床や壁に貼ったり、裏面に不透明なシートを重ねて使用することにより、その床と壁にデザイン部分を馴染ませ、疑似三次元効果が得られる。
この発明における透明フィルムに印刷される画像（デザイン部分）は大きく二つに分けられる。その一は「透光性の高い部分」であり、画像の下に白色層があり、床面又は壁面の影響を受けない部分（図中符号２ａ）である。この部分は画像の主題が表される。その二は「透光性の低い部分」であり、画像の下に白色層がない、床面又は壁面の影響を受ける部分（図中符号２ｂ）で、この部分は主に影の表現に使用され、床面又は壁面の色と調和される部分である。
下層に白色層がある画像部分（２ａ）は光が白色層で反射するために、光が床面又は壁面まで到達せず、画像は底面とは離れたように目に映る。下層に白色層がない画像部分（２ｂ)は光が床面又は壁面まで到達、反射されるため、画像が底面に馴染んで目に映る。
その結果、下層に白色層がある透光性の高い画像部分（２ａ）は手前に浮き上がって見え、下層に白地がない透光性の低い画像部分（２ｂ)は底面に沈み込んで見えることになり、画像は三次元的に認識されることとなる。
ここで使用される透明フィルムは床面又は壁面と異質感がない無光沢フィルムが好ましい。  
【０００８】
この発明のシートは、観賞用の装飾物として使用するほか、画像として商品の写真を用い、店舗の床や壁に貼ることにより、宣伝ツールとして使用することもできる。
【発明を実施するための最良の形態】
【０００９】
以下、実施例を説明する。
【実施例１】
【００１０】
図１は請求項１，２の発明に係るものである。
透明フィルム１の上面に画像２が印刷してある。この画像２は、メインの画像となる透光性の高い部分２ａと、影となる透光性の低い部分２ｂとで構成する。例えば、商品パッケージの画像であれば、商品パッケージ全体を透光性の高い部分２ａとして表し、商品パッケージに光を当てたときに形成される影となる部分を透光性の低い部分２ｂとして表す。
前記透明フィルム１の裏面には、前記画像２の透光性の高い部分２ａに対応する部分に白色印刷を施して白色層３が形成してある。
【００１１】
この実施例においては、更に前記透明フィルム１の上面には接着剤層４を介して保護透明フィルム５が装着してあり、この保護透明フィルム５の表面は、画像の視認性が妨げられない程度の粗面６として、滑り止め効果を持たせてある。
また、前記透明フィルム１の下面には、接着剤層７が形成してあり、その表面に剥離シート８が貼付してある。
【００１２】
図２は上記構成の画像シートの使用状態を示すものである。
前記剥離シート８を剥がし、接着剤層７によってこの画像シートを床面９に貼付する。この状態で画像シートを観察すると、透明フィルム１に印刷された画像２中、透光性の高い部分２ａは白色層３で光が反射するために、光が床面まで到達せず、画像は底面とは離れたように目に映る。下層に白色層がない透光性の低い部分２ｂは光が床面まで到達、反射されるため、画像が底面に馴染んで目に映る。
その結果、下層に白色層がある透光性の高い画像部分２ａは手前に浮き上がって見え、下層に白地がない透光性の低い画像部分２ｂは底面に沈み込んで見えることになり、画像は三次元的に認識されることとなる。
なお、この実施形態においては、保護透明フィルム５を装着したので、画像シートを床面に張り、その上を歩行する状態として使用しても、画像が損傷することがない。また前記保護透明フィルム５の表面に滑り止め効果を持たせたので、歩行者が滑ることもなく安全が確保される。
【００１３】
上記構成の画像シートは壁面に貼付して使用することもできる。このときは、滑り止め６は不要である。
【実施例２】
【００１４】
図３、図４は請求項３の発明に係るものである。
この実施例においては、上記実施例と異なり透明フィルム１の下面に画像２が印刷されており、画像２の透光性の高い部分２ａの下面に白色層３が印刷されている。実施例１における保護フィルム５は用いておらず、壁用であるから滑り止め６も形成していない。その他の構成は実施例１と同様である。
【００１５】
図４は使用状態を示すものであり、壁面１０に貼付した例を示している。
この実施形態においては、透明フィルム１の下面に画像を印刷してあるので、透明フィルム１自体が上記実施形態における保護透明フィルム５の機能も兼ね備えることとなる。
【００１６】
上記構成の画像シートは床面に貼付して使用することもできる。このときは、透明フィルム１の上面に滑り止めを形成することが好ましい。
【産業上の利用可能性】
【００１７】
この発明は、印刷手法のみで画像に三次元効果を持たせることができるものであり、宣伝ツールとしても優れたものであって、産業上の利用可能性を有するものである。
【図面の簡単な説明】
【００１８】
【図１】この発明実施形態１の断面図
【図２】同じく使用状態の断面図
【図３】この発明実施形態２の断面図
【図４】同じく使用状態の断面図
【符号の説明】
【００１９】
１    透明フィルム
２    画像
２ａ  透光性の低い部分
２ｂ  透光性の高い部分
３    白色層
４    接着剤
５    保護フィルム
６    滑り止め
７    接着剤
８    剥離シート
９    床
１０  壁
【図１】
2006103196.tif 000003
【図２】
2006103196.tif 000004
【図３】
2006103196.tif 000005
【図４】
2006103196.tif 000006